【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
１つ以上の画像を表す符号化ビットストリームをカプセル化する方法であって、前記カプセル化されたビットストリームはデータパートとメタデータパートとを含み、該方法は、
単一の画像及び／又は単一の画像の組のサブ画像又は画像を表す前記データパートの部分を識別する画像アイテム情報を与えることと、
１つ以上の画像に関連する表示パラメーター及び／又は変換演算子を含むパラメーターを含む画像記述情報を与えることと、
前記ビットストリームを、前記与えられた情報とともに、カプセル化されたデータファイルとして出力することと、
を含み、
前記画像アイテム情報は、前記画像記述情報の少なくとも一部を含んだ１つ以上の特性を含み、前記画像記述情報は１つ以上のボックスにおいて規定される、方法。
【請求項２】
前記画像アイテム情報及び各画像アイテム情報の特性はボックスにおいて規定され、該特性のボックスはボックスのテーブルを形成するために編成される、請求項１に記載の方法。
【請求項３】
各特性は、出現順又は前記ボックスのテーブル内の対応するボックスに従うことによって、前記サブ画像、又は前記画像及び／又は前記単一の画像の組に適用される、請求項２に記載の方法。
【請求項４】
前記サブ画像又は前記単一の画像及び／又は前記単一の画像の組はビデオシーケンスに関連し、前記画像アイテム情報の特性のうちの１つは前記ビデオシーケンスの初期化情報を参照する１つ以上の初期化パラメーターを含む、請求項１〜３のいずれか一項に記載の方法。
【請求項５】
幾つかのサブ画像又は単一の画像及び／又は単一の画像の組の中で共有される前記画像記述情報の部分が１つの専用共有ボックス内で規定され、各画像記述情報は、検討対象の画像アイテム情報を少なくとも１つの画像記述情報にリンクするためのリンク構造を介して検索可能であり、前記リンク構造は、
検討対象の画像アイテム情報ごとの第１の識別子であって、該第１の識別子は、画像アイテム情報の特性として規定され、前記専用共有ボックス内の同じ値を有する第２の識別子を参照する、第１の識別子と、
前記専用共有ボックス内に含まれる１つ又は幾つかの第２の識別子であって、各第２の識別子は１つの画像記述情報を参照する、１つ又は幾つかの第２の識別子と、
を含む、請求項１〜４のいずれか一項に記載の方法。
【請求項６】
幾つかのサブ画像又は単一の画像及び／又は単一の画像の組の中で共有される画像記述情報の部分は２つの専用共有ボックス内で規定され、一方の共有ボックスは前記表示パラメーターに関連し、他方の共有ボックスは前記変換演算子に関連し、各画像記述情報は、前記画像アイテム情報を少なくとも１つの画像記述情報にリンクするためのリンク構造を介して検索可能である、請求項１〜４のいずれか一項に記載の方法。
【請求項７】
前記リンク構造は、前記画像アイテム情報と少なくとも１つの画像記述情報とをリンクする２つの参照タイプパラメーターを含み、各参照タイプパラメーターは、前記専用共有ボックスのうちの１つに特有である、請求項６に記載の方法。
【請求項８】
前記リンク構造は、
検討対象の画像アイテム情報ごとの第１の識別子及び第２の識別子であって、該第１の識別子は、画像アイテム情報の特性として規定され、前記表示パラメーターに関連する前記専用共有ボックス内の第３の識別子を参照し、該第２の識別子は、画像アイテム情報の特性として規定され、前記変換演算子に関連する前記専用共有ボックス内の第４の識別子を参照する、第１の識別子及び第２の識別子と、
前記表示パラメーター及び前記変換演算子に関連する前記専用共有ボックス内にそれぞれ含まれる１つ又は幾つかの第３の識別子及び第４の識別子であって、各第３の識別子及び第４の識別子はそれぞれ、表示パラメーター及び変換演算子を参照する、１つ又は幾つかの第３の識別子及び第４の識別子と、
を備える、請求項６に記載の方法。
【請求項９】
前記表示パラメーターのうちの１つは、単一の画像の部分に対応する単一の画像の組を規定するためのグリッドである、請求項１〜８のいずれか一項に記載の方法。
【請求項１０】
前記単一の画像の組からの前記画像は同じ単一の画像に関連する、請求項１〜９のいずれか一項に記載の方法。
【請求項１１】
１つ以上の画像を表すカプセル化されたビットストリームを取得する方法であって、前記カプセル化されたビットストリームは符号化データパートと、メタデータパートとを含み、該方法は、
単一の画像及び／又は単一の画像の組のサブ画像又は画像を表すデータパートの部分を識別する画像アイテム情報を取得することと、
１つ以上の画像に関連する表示パラメーター及び／又は変換演算子を含むパラメーターを含む画像記述情報を取得することと、
前記ビットストリームを、決定された情報とともに、カプセル化されたデータファイルとして抽出することと、
を含み、
前記画像アイテム情報は、前記画像記述情報の少なくとも一部を含んだ１つ以上の特性を含み、前記画像記述情報は１つ以上のボックスにおいて規定される、方法。
【請求項１２】
前記画像アイテム情報及び各画像アイテム情報の特性はボックスにおいて規定され、該特性のボックスはボックスのテーブルを形成するために編成される、請求項１１に記載の方法。
【請求項１３】
各特性は、出現順又は前記ボックスのテーブル内の対応するボックスに従うことによって、前記サブ画像、又は前記画像及び／又は前記単一の画像の組に適用される、請求項１２に記載の方法。
【請求項１４】
前記サブ画像又は前記単一の画像及び／又は前記単一の画像の組はビデオシーケンスに関連し、前記画像アイテム情報の特性のうちの１つは前記ビデオシーケンスの初期化情報を参照する１つ以上の初期化パラメーターを含む、請求項１〜１３のいずれか一項に記載の方法。
【請求項１５】
幾つかのサブ画像又は単一の画像及び／又は単一の画像の組の中で共有される前記画像記述情報の部分は１つの専用共有ボックス内で規定され、各画像記述情報は、検討対象の画像アイテム情報を、少なくとも１つの画像記述情報にリンクするためのリンク構造を介して検索可能であり、前記リンク構造は、
検討対象の画像アイテム情報ごとの第１の識別子であって、該第１の識別子は、画像アイテム情報の特性として規定され、前記専用共有ボックス内の同じ値を有する第２の識別子を参照する、第１の識別子と、
前記専用共有ボックス内に含まれる１つ又は幾つかの第２の識別子であって、各第２の識別子は１つの画像記述情報を参照する、１つ又は幾つかの第２の識別子と、
を含む、請求項１１〜１４のいずれか一項に記載の方法。
【請求項１６】
幾つかのサブ画像又は単一の画像及び／又は単一の画像の組の中で共有される画像記述情報の部分は２つの専用共有ボックス内で規定され、一方の共有ボックスは前記表示パラメーターに関連し、他方の共有ボックスは前記変換演算子に関連し、各画像記述情報は、前記画像アイテム情報を少なくとも１つの画像記述情報にリンクするためのリンク構造を介して検索可能である、請求項１１〜１４のいずれか一項に記載の方法。
【請求項１７】
前記リンク構造は、前記画像アイテム情報と少なくとも１つの画像記述情報とをリンクする２つの参照タイプパラメーターを含み、各参照タイプパラメーターは、前記専用共有ボックスのうちの１つに特有である、請求項１６に記載の方法。
【請求項１８】
前記リンク構造は、
検討対象の画像アイテム情報ごとの第１の識別子及び第２の識別子であって、該第１の識別子は、画像アイテム情報の特性として規定され、前記表示パラメーターに関連する前記専用共有ボックス内の第３の識別子を参照し、該第２の識別子は、画像アイテム情報の特性として規定され、前記変換演算子に関連する前記専用共有ボックス内の第４の識別子を参照する、第１の識別子及び第２の識別子と、
前記表示パラメーター及び前記変換演算子に関連する前記専用共有ボックス内にそれぞれ含まれる１つ又は幾つかの第３の識別子及び第４の識別子であって、各第３の識別子及び第４の識別子はそれぞれ、表示パラメーター及び変換演算子を参照する、１つ又は幾つかの第３の識別子及び第４の識別子と、
を備える、請求項１６に記載の方法。
【請求項１９】
前記表示パラメーターのうちの１つは、単一の画像の部分に対応する単一の画像の組を規定するためのグリッドである、請求項１１〜１８のいずれか一項に記載の方法。
【請求項２０】
前記単一の画像の組からの前記画像は同じ単一の画像に関連する、請求項１１〜１９のいずれか一項に記載の方法。
【請求項２１】
請求項１〜１０のいずれか一項に記載の方法を実施するために構成される、１つ以上の画像を表す符号化ビットストリームをカプセル化するためのデバイス。
【請求項２２】
請求項１１〜２０のいずれか一項に記載の方法を実施するために構成される、１つ以上の画像を表すカプセル化されたビットストリームを処理するためのデバイス。
【請求項２３】
請求項２１に記載のデバイスと、
前記デバイスからのファイルを処理するための、請求項２２に記載のデバイスと、
を備える、システム。
【請求項２４】
請求項１〜２０のいずれか一項に記載の方法をコンピュータが実行するためのプログラム。
【請求項２５】
１つ以上の画像を表す符号化ビットストリームをカプセル化する方法であって、前記カプセル化されたビットストリームはデータパートとメタデータパートとを含み、該方法は、
単一の画像及び／又は単一の画像の組のサブ画像又は画像を表す前記データパートの部分を識別する画像アイテム情報を与えることと、
１つ以上の画像に関連する表示パラメーター及び／又は変換演算子を含むパラメーターを含む画像記述情報を与えることと、
前記ビットストリームを、前記与えられた情報とともに、カプセル化されたデータファイルとして出力することと、
を含み、
前記画像記述情報は、１つ又は２つの専用ボックス内で規定され、各画像記述情報は、前記画像アイテム情報を少なくとも１つの画像記述情報にリンクするためのリンク構造を介して検索可能である、方法。
【請求項２６】
前記画像記述情報は１つの専用ボックス内で規定され、前記リンク構造は、前記画像アイテム情報と少なくとも１つの画像記述情報とをリンクする参照タイプパラメーターを含む、請求項２５に記載の方法。
【請求項２７】
前記画像記述情報は１つ又は２つの専用ボックス内で規定され、前記リンク構造は、前記画像アイテム情報と少なくとも１つの画像記述情報とをリンクするためのインデックスの１つ又は２つの組を含み、各組は前記専用ボックスのうちの１つに関連付けられる、請求項２５に記載の方法。
【請求項２８】
前記画像記述情報は２つの専用ボックス内で規定され、一方のボックスは前記表示パラメーターに関連し、他方のボックスは前記変換演算子に関連する、請求項２５又は２７に記載の方法。
【請求項２９】
前記画像記述情報は２つの専用ボックス内で規定され、前記リンク構造は、前記２つの専用ボックスのうちのそれぞれ１つに関連付けられる２つの参照タイプパラメーターを含み、各参照タイプパラメーターは、前記画像アイテム情報と、前記関連付けられる専用ボックス内の少なくとも１つの画像記述情報とをリンクする、請求項２８に記載の方法。
【請求項３０】
１つ以上の画像を表すカプセル化されたビットストリームを取得する方法であって、前記カプセル化されたビットストリームは符号化データパートと、メタデータパートとを含み、該方法は、
単一の画像及び／又は単一の画像の組のサブ画像又は画像を表すデータパートの一部分を識別する画像アイテム情報を取得することと、
１つ以上の画像に関連する表示パラメーター及び／又は変換演算子を含むパラメーターを含む画像記述情報を取得することと、
前記ビットストリームを、決定された情報とともに、カプセル化されたデータファイルとして抽出することと、
を含み、
前記画像記述情報は、１つ又は２つの専用ボックス内で規定され、各画像記述情報は、前記画像アイテム情報を少なくとも１つの画像記述情報にリンクするためのリンク構造を介して検索可能である、方法。
【請求項３１】
前記画像記述情報は１つの専用ボックス内で規定され、前記リンク構造は、前記画像アイテム情報と少なくとも１つの画像記述情報とをリンクする参照タイプパラメーターを含む、請求項３０に記載の方法。
【請求項３２】
前記画像記述情報は１つ又は２つの専用ボックス内で規定され、前記リンク構造は、前記画像アイテム情報と少なくとも１つの画像記述情報とをリンクするためのインデックスの１つ又は２つの組を含み、各組は前記専用ボックスのうちの１つに関連付けられる、請求項３０に記載の方法。
【請求項３３】
前記画像記述情報は２つの専用ボックス内で規定され、一方のボックスは前記表示パラメーターに関連し、他方のボックスは前記変換演算子に関連する、請求項３０又は３２に記載の方法。
【請求項３４】
前記画像記述情報は２つの専用ボックス内で規定され、前記リンク構造は、前記２つの専用ボックスのうちのそれぞれ１つに関連付けられる２つの参照タイプパラメーターを含み、各参照タイプパラメーターは、前記画像アイテム情報と、前記関連付けられる専用ボックス内の少なくとも１つの画像記述情報とをリンクする、請求項３３に記載の方法。
【請求項３５】
請求項２５〜２９のいずれか一項に記載の方法を実施するために構成される、１つ以上の画像を表す符号化ビットストリームをカプセル化するためのデバイス。
【請求項３６】
請求項３０〜３４のいずれか一項に記載の方法を実施するために構成される、１つ以上の画像を表すカプセル化されたビットストリームを処理するためのデバイス。
【請求項３７】
請求項３５に記載のデバイスと、
前記デバイスからのファイルを処理するための、請求項３６に記載のデバイスと、
を備える、システム。
【請求項３８】
請求項２５〜３４のいずれか一項に記載の方法をコンピュータが実施するためのプログラム。